(57)【要約】【課題】録画時に於ける時間監視を必要とせず、録画後に於いて録画コンテンツを所望の単位で容易に切り分けることのできる録画済コンテンツ編集装置および録画済コンテンツの編集方法を提供する。【解決手段】録画済コンテンツ編集処理手段５は、外部からの分割指示に従い、記憶手段２に記憶された、例えば複数の番組を連続して録画した録画済コンテンツ３を、当該コンテンツ３に付随しない録画済コンテンツ編集情報４をもとに分割する。【選択図】図１
2006339801.tif 000002
【特許請求の範囲】
【請求項１】
放送番組を録画する録画手段と、
前記録画手段により録画された放送番組のコンテンツを、この録画済コンテンツに付随しない編集情報をもとに分割する編集処理手段と
を具備したことを特徴とする録画済コンテンツ編集装置。
【請求項２】
前記編集情報は、外部から取得した番組情報、若しくは内部に保持している番組情報である請求項１記載の録画済コンテンツ編集装置。
【請求項３】
前記編集情報は、前記録画済コンテンツを分割する時刻、時間の少なくともいずれかをユーザが予め定義した分割フォーム情報、若しくは外部から取得した分割フォーム情報である請求項１記載の録画済コンテンツ編集装置。
【請求項４】
前記編集手段は前記編集情報をもとに前記録画済コンテンツをタイトル分割、若しくはチャプター分割する請求項２または３記載の録画済コンテンツ編集装置。
【請求項５】
前記編集手段は、前記分割フォーム情報を保存し管理する管理手段と、外部からの指示に従い、前記管理手段が管理している分割フォーム情報をもとに前記録画済コンテンツを分割する処理手段とを具備する請求項３記載の録画済コンテンツ編集装置。
【請求項６】
前記処理手段は、予め設定された番組予約に連動して、前記管理手段が管理している時間枠情報をもとに前記録画済コンテンツを分割する請求項５記載の録画済コンテンツ編集装置。
【請求項７】
前記編集手段は、前記分割フォーム情報に従い分割した録画済コンテンツに、タイトル情報若しくはチャプター情報を付加する処理手段をさらに具備する請求項５または６記載の録画済コンテンツ編集装置。
【請求項８】
放送番組のコンテンツを指定された時間帯に亘り録画するステップと、
前記録画したコンテンツを当該録画済コンテンツに付随しない編集情報をもとに分割するステップと
を具備したことを特徴とする録画済コンテンツの編集方法。
【請求項９】
前記編集情報をもとに分割するステップは、外部から取得した番組情報、若しくは内部に保持している番組情報を前記編集情報として用いることを特徴とする請求項７記載の録画済コンテンツの編集方法。
【請求項１０】
前記編集情報をもとに分割するステップは、前記録画済コンテンツを分割する時刻、時間の少なくともいずれかをユーザが予め定義した分割フォーム情報、若しくは外部から取得した分割フォーム情報を前記編集情報として用いることを特徴とする請求項７記載の録画済コンテンツの編集方法。
【請求項１１】
前記編集情報をもとに分割するステップは、前記編集情報をもとに前記録画済コンテンツをタイトル分割、若しくはチャプター分割することを特徴とする請求項８または９記載の録画済コンテンツの編集方法。
【発明の詳細な説明】
【技術分野】
【０００１】
本発明は、放送番組のコンテンツを指定された時間帯に亘り録画する機能を備えた例えば録画再生装置に適用して好適な録画済コンテンツ編集装置および録画済コンテンツの編集方法に関する。
【背景技術】
【０００２】
放送番組のコンテンツを指定された時間帯に亘り録画する機能を有する例えば録画再生装置に於いては、任意の一時間帯を指定して複数の番組を連続して録画した場合、録画の時間帯（録画の開始および終了）を示す録画情報は一つになってしまい、従って連続して録画した２つ目以降の番組の頭出しが容易にできなくなるという問題が生じる。この問題を解消するための技術として、録画時に、録画コンテンツに対応させて時間情報若しくはタイミング情報を記録させ、この情報を用いて録画コンテンツを切り分ける手法が存在する。
【特許文献１】２００４−２５９３１４号公報
【発明の開示】
【発明が解決しようとする課題】
【０００３】
しかしながら上記した録画コンテンツの切り分けは、録画時に、番組が切り替わる毎に、録画コンテンツに対応させて頭出しのための情報を記録しなければならず、録画時に於ける時間監視のための機構若しくは手法が必要になるという問題があった。
【０００４】
本発明は、録画時に於ける時間監視を必要とせず、録画後に於いて録画コンテンツを所望の単位で容易に切り分けることのできる録画済コンテンツ編集装置および録画済コンテンツの編集方法を提供することを目的とする。
【課題を解決するための手段】
【０００５】
本発明は、放送番組のコンテンツを録画する録画手段と、前記録画手段に録画されたコンテンツを前記録画済コンテンツに付随しない編集情報をもとに分割する編集処理手段とを具備した録画済コンテンツ編集装置を特徴とする。
【０００６】
また本発明は、放送番組のコンテンツを指定された時間帯に亘り録画するステップと、前記録画したコンテンツを当該録画済コンテンツに付随しない編集情報をもとに分割するステップとを具備した録画済コンテンツの編集方法を特徴とする。
【発明の効果】
【０００７】
複数の番組を連続して録画した場合の録画済コンテンツを録画時の情報とは別途に用意した編集情報を用いて分割できる。
【発明を実施するための最良の形態】
【０００８】
以下図面を参照して本発明の実施形態を説明する。  
本発明の実施形態に係る録画済コンテンツ編集装置の構成を図１に示す。図１は放送番組のコンテンツを指定された時間帯に亘り録画する機能を備えた機器に於ける本発明の実施形態に係る録画済コンテンツ編集装置の主要部の構成を示している。
【０００９】
この図１に示す機器１には、上記録画した放送番組のコンテンツを記憶する記憶手段２と、上記記憶手段２に記憶された、例えば複数の番組を連続して録画した録画済コンテンツ３を、当該コンテンツ３に付随しない録画済コンテンツ編集情報４をもとに分割する録画済コンテンツ編集処理手段５とが設けられる。
【００１０】
録画済コンテンツ編集処理手段５は、外部からの分割指示に従い、上記記憶手段２に記憶された録画済コンテンツ３を上記録画済コンテンツ３に付随しない録画済コンテンツ編集情報４をもとに分割する処理機能を有する。
【００１１】
一例を挙げると、録画済コンテンツ編集処理手段５は、外部からの分割指示に従い、所定の通信回線を介して取得した、若しくは予め所定の記憶部に保持しておいた電子番組ガイド（ＥＰＧ）の時間情報を録画済コンテンツ編集情報４として、当該編集情報をもとに、時間帯が連続する複数の放送番組の録画済コンテンツ３を番組単位に分割する、若しくはチャプター割付を行う。
【００１２】
さらに、録画済コンテンツ編集処理手段５は、この分割処理に於いて、例えば電子番組ガイドから番組のタイトル情報を取得し、そのタイトル情報を分割した番組の録画済コンテンツに付加する処理機能をもつ。このタイトル別に分割した録画済コンテンツ３の一例を図１に録画済コンテンツ（Ａ）として示している。この例では記憶手段２に記憶された録画済コンテンツ３が３つのタイトル別録画済コンテンツ（Ａ）に分割される。
【００１３】
また上記録画済コンテンツ編集処理手段５は、上記番組情報を用いたタイトル分割機能以外に、ユーザが予め定義した、若しくは外部から取得した分割フォーム情報を録画済コンテンツ編集情報４として、この編集情報へをもとに、時間帯が連続する複数の放送番組の録画済コンテンツ３を番組単位に分割する、若しくはチャプター割付を行う。例えば外部からの分割指示に従い、ユーザが予め定義した分割フォーム情報をもとに、記憶手段２に記憶された録画済コンテンツ３に対してチャプター割付を行う。このチャプター割付例を図１に録画済コンテンツ（Ｂ）として示している。この例では、録画した番組の前半部と後半部との間の所定時間帯の前後にそれぞれチャプター割付を行っている。なお、録画済コンテンツ編集処理手段５が録画済コンテンツ編集情報４として用いる番組情報は、番組の開始／終了時刻、時間帯、ジャンル、番組名、出演者等を記述したＥＰＧや、ＥＰＧとは別途に用意した、ユーザ若しくは第三者が作成した、分割後のコンテンツに付加する情報を含んだ番組情報であってもよい。
【００１４】
このように、録画済コンテンツ３を当該録画済コンテンツ３に付随しない編集情報４をもとに分割する処理機能をもつことにより、録画時に、録画コンテンツを切り分けるための情報を記録することなく、録画済コンテンツ３を適正に分割することができる。
【００１５】
このような録画済コンテンツの分割機能をもつことで、録画済コンテンツを、当該録画済コンテンツとは別途に用意された、番組情報、分割フォーム情報等、所定の編集情報をもとに、タイトル分割やチャプタ割付等の編集が簡単に行なえる。これにより、一回の録画操作（予約及び録画ボタンによる録画等）で、複数の番組を録画した場合に、この録画済番組の分割や特定パターンでの編集などを簡単に行なうことができる。また、ユーザ定義の分割フォームの作成により、ＣＭ等の簡易カットや特定時間範囲のコンテンツ取得、任意ジャンプ位置などの定義も行なうことができる。また既に録画済のコンテンツをＥＰＧなどの番組情報を基に、煩わしいユーザ操作を行なうことなく、自動編集でき、１つの録画コンテンツから複数タイトルへの分割を容易に行なうことができる。さらに、番組情報が無い場合であっても、ユーザ定義のパターン指定（分割フォーム情報）を使って録画済コンテンツの（特に定常番組に対しての）編集が簡単に行なえる。
【００１６】
上記した録画済コンテンツ編集処理手段５は、アプリケーションプログラムおよびプログラム実行手段により実現されるもので、この録画済コンテンツ編集処理手段５に於ける分割処理の手順を図２及び図３に示す。
【００１７】
録画済コンテンツ編集処理手段５に於ける分割処理には、上記したように番組情報を用いたコンテンツ分割処理と、分割フォーム情報を用いたコンテンツ分割処理とがある。
【００１８】
先ず、番組情報を用いた分割処理について図２に示すフローチャートを参照して説明する。
【００１９】
録画済コンテンツ編集処理手段５が、電子番組ガイド等の番組情報を用いて、記憶手段２に記憶された録画済コンテンツ３を分割する場合の処理手順を図２に示している。
【００２０】
ここでは、例えば１回分の録画したコンテンツ中に複数の番組が収まっているとき、上記番組情報をもとにコンテンツを番組単位に分割する。以下のような場合に、１回分の録画したコンテンツ中に複数の番組が収まっている可能性がある。
【００２１】
（１）．ユーザが予約を行う場合に、複数の番組にまたがって録画するように予約を入れた場合、
（２）．録画ボタンを押して録画を行い、複数の番組にまたがって録画を行った場合、
（３）．予約録画時間から予約を開始したが、前番組の放送時間延長により実際の開始時間が遅くなった場合、
上記したような場合に、電子番組情報を用いて、この番組情報と実際の録画時刻、時間、チャンネル情報などの記録情報から、録画されている番組を特定し、番組を分割する。
【００２２】
分割の指定は、例えばリモートコントローラに設けられた単純なボタン操作で分割を指示する。この場合、分割の単位としては、図１に示す録画済コンテンツ（Ａ）のように、番組毎にコンテンツを分割するタイトル分割と、図１に示す録画済コンテンツ（Ｂ）のように、チャプタなど移動用のマーキングを行うチャプタ割付とを提供する。この実施形態では、リモートコントローラに設けられた、「分割」ボタン、「チャプター割付」ボタンなどの単純なボタン操作で分割を指示するものとする。
【００２３】
録画済コンテンツ編集処理手段５は、外部からの分割指示に従い、記憶手段２に記憶された録画済コンテンツ３に対応する番組情報が取得可能であるかを判断する（図２ステップＳ１０１）。ここで録画済コンテンツ３に対応する番組情報が取得できないとき（ステップＳ１０１  Ｎｏ）は録画済コンテンツ３のすべてを編集したものと見做して（ステップＳ１０７  Ｙｅｓ）番組情報を用いる分割処理を終了する。また、番組情報が取得可能であるときは（ステップＳ１０１  Ｙｅｓ）、この番組情報を取得して（ステップＳ１０２）、取得した番組情報と上記記録情報をもとに録画済コンテンツ３に複数の番組が含まれているか否かを判断する（ステップＳ１０３）。
【００２４】
録画済コンテンツ３に複数の番組が含まれている場合は、上記分割指示が、「分割」ボタンの操作による番組分割（タイトル分割）指示であるか、「チャプター割付」ボタンの操作によるチャプター割付による分割指示であるかを判断する（ステップＳ１０４）。
【００２５】
「分割」ボタンの操作による番組分割指示であるときは、上記番組情報に従い、記憶手段２に記憶された録画済コンテンツ３を番組単位にタイトル分割し（ステップＳ１０５Ａ）、分割したコンテンツに番組名等、所定の番組情報を付加する（ステップＳ１０６Ａ）。また、「チャプター割付」ボタンの操作によるチャプター割付指示であるときは、上記番組情報に従い、記憶手段２に記憶された録画済コンテンツ３に対してチャプター割付を行い（ステップＳ１０５Ｂ）、チャプターで分割されたコンテンツに所定の番組情報を付加する（ステップＳ１０６Ｂ）。
【００２６】
このような処理を記憶手段２に記憶された録画済コンテンツ３のすべてに対して実行する（ステップＳ１０７，Ｓ１０４，…）。
【００２７】
次に、分割フォーム情報を用いた分割処理について図３に示すフローチャートを参照して説明する。
【００２８】
録画済コンテンツ編集処理手段５が、分割フォーム情報を用いて、記憶手段２に記憶された録画済コンテンツ３を分割する場合の処理手順を図３に示している。
【００２９】
ここで用いる分割フォーム情報には、ユーザが時刻、弛緩等を定義する分割フォーム情報と、通信回線を介して外部から取得された若しくは配信された第三者が作成した分割フォーム情報とがある。また、これらの分割フォーム情報としては、連続する時間帯の複数番組に対して、番組の分割を定義した分割フォーム情報以外に、例えば毎週、同時間帯に定常的に放送される定時番組の時刻、時間等を定義した定時番組用の分割フォーム情報を含むこともできる。例えばユーザが任意の定常番組に対して、所望する時刻または時間にチャプター割付を行うことができる。これらの各種ユーザ定義による分割フォーム情報の作成手順については図６乃至図８に示すフローチャートを参照して後述する。
【００３０】
ユーザが予め時刻、時間帯等を定義した分割フォーム情報を複数作成し登録しておくことで、その各分割フォーム情報に対応する各番組の任意パターンの編集を簡単に行うことができる。ユーザ定義による分割フォーム情報（ユーザ定義フォーム）の作成時に、チャネルや曜日、時間帯、ジャンル、ユーザ定義識別子などの情報を同時に登録することにより、録画済コンテンツ３の分割時に於いて、録画済コンテンツ編集処理手段５の処理による、分割対象となるコンテンツに適用する分割フォーム情報の自動選択が可能となる。例えばユーザ定義フォームに登録されたチャネル、曜日、時間帯、ジャンル等の情報と録画済コンテンツ３に付加されたチャネル、曜日、時間帯、ジャンル等の記録情報とを照合することにより、分割対象となるコンテンツに適用するフォームの自動選択が可能となる。
【００３１】
このユーザ定義フォームには、分割点として、開始位置からの相対時間による分割位置指定、録画の時刻による分割位置指定、録画中にユーザが指定した任意タイミングによる分割地点マーキング等が登録可能である。この分割地点マーキングについては、例えばリモートコントローラに、マーキングを行うためのボタンを設けて（例えばチャプター割付ボタンを援用して）、録画若しくは視聴中に、所望の場面で上記ボタンを操作することにより、所望する任意場面での指定分割地点マーキング登録が可能となる。
【００３２】
録画済コンテンツ編集処理手段５は、外部からの分割指示に従い、既に登録された複数種の分割フォーム情報の中から、分割処理の対象となる録画済コンテンツ３に対応する分割フォーム情報を選択し（図３ステップＳ２０１）、上記分割指示が、「分割」ボタンの操作によるタイトル（番組）分割指示であるか、「チャプター割付」ボタンの操作によるチャプター割付による分割指示であるかを判断する（ステップＳ２０３）。
【００３３】
「分割」ボタンの操作による番組分割指示であるときは、上記選択したユーザ定義フォームに従い、記憶手段２に記憶された録画済コンテンツ３を分割し（ステップＳ２０４Ａ）、分割したコンテンツに番組名等、所定の番組情報を付加する（ステップＳ２０５Ａ）。また、「チャプター割付」ボタンの操作によるチャプター割付指示であるときは、上記選択したユーザ定義フォームに従い、記憶手段２に記憶された録画済コンテンツ３に対してチャプター割付を行い（ステップＳ２０４Ｂ）、チャプターで分割されたコンテンツに所定の番組情報を付加する（ステップＳ２０５Ｂ）。
【００３４】
このような処理を記憶手段２に記憶された録画済コンテンツ３のすべてに対して実行する（ステップＳ２０６，Ｓ２０３，…）。
【００３５】
このようにして、録画済コンテンツ編集処理手段５は、外部からの分割指示に従い、分割処理の対象となる、既に録画されたコンテンツを、当該コンテンツに付随しない、番組情報若しくはフォーム情報を用いて適正な番組単位に分割する。
【００３６】
ここで、上記したユーザ定義フォームの各種作成処理について、図４乃至図８を参照して説明する。ユーザ定義フォームの登録処理手順を図４に示している。ここでは、例えば、曜日、時間帯等が決められた定常番組を対象に、区切り時刻、区切り単位時間等を定義したユーザ定義フォームを作成し（図４ステップＳ１）、作成したユーザ定義フォームの登録指示を行うことによって、このユーザ定義フォームが所定の記憶手段に登録され保存されて（ステップＳ２）、上記した録画済コンテンツ編集処理手段５の分割処理に供される。
【００３７】
このユーザ定義フォームの基本的な構成例を図５（ａ）と図５（ｂ）に示している。図５（ａ）は録画済コンテンツに対して、任意に分割点を定義したフォームの例であり、図５（ｂ）は時間帯を指定した時間枠指定によるフォームの例である。分割情報を時刻にすることにより、同時刻での録画コンテンツの分割パターンを定義できる。分割情報を時間指定とすることにより、録画時刻やコンテンツに依存しない分割フォームを作成することができる。
【００３８】
上記ユーザ定義フォームの作成例として、編集情報によるユーザ定義フォーム（ユーザ定義による分割フォーム情報）作成手順の一例を図６に示している。ここでは、例えば図２若しくは図３に示したように編集情報（番組情報／分割フォーム情報）により分割処理している過程でユーザ定義フォームを作成する。、
このユーザ定義フォーム作成処理では、録画済コンテンツ３の編集処理中に於いて、設定された、タイトル分割、チャプター割付の各軸個、時間情報、番組情報等をそれぞれ採取し（図６ステップＳ３０１〜Ｓ３０５）、その採取した各情報をもとに分割フォーム情報を作成（生成）し（ステップＳ３０６）、ユーザ定義フォームとして登録する（ステップＳ３０７）。
【００３９】
このように、編集情報をもとにユーザ定義フォームを作成し登録しておくことで、例えばシリーズ番組や定時番組などの編集を行う場合に、その編集を間単に行うことができる。
【００４０】
他のユーザ定義フォーム作成例として、録画コンテンツ変化点検出によるユーザ定義フォーム作成手順の一例を図７に示している。ここでは、コンテンツ録画時や再生時に、コンテンツ情報が変化する変化点（たとえば、音声情報がステレオからモノラルに変わるなどの変化点、無音区間介在点等）や、その他の認識技術を使って、番組内容の変化点を検出し、その位置情報を用いてユーザ定義フォームを作成する。
【００４１】
このユーザ定義フォーム作成処理では、コンテンツ録画時や再生時に、番組内容の変化点を検出するための検出条件を選択し設定して（図７ステップＳ４０１）、当該条件に従い番組内容の変化点検出を開始し（ステップＳ４０２）、検出した変化点を保持する（ステップＳ４０４）。対象となる番組のコンテンツすべての変化点を保持した後、保持した変化点各々の時刻若しくは時間情報を取得して、これらの時刻若しくは時間情報と番組情報等を用いて分割フォーム情報を作成し、ユーザ定義フォームとして登録する（ステップＳ４０５〜Ｓ３０７）。
【００４２】
このように、番組内容の検出変化点をもとにユーザ定義フォームを作成し登録することで、例えば番組の切れ目やＣＭとの継ぎ目などに分割情報を入れることができる。また、スポーツ番組などで音声のボリュームが極端に変動（上がる）時などをクライマックスシーンとしてチャプタ設定するなどの指定を行うことができる。さらに、所望の変化点を検出することで、番組の変化点でチャプター割付等を行うことができる。
【００４３】
他のユーザ定義フォーム作成例として、録画／視聴中のマーキングによるユーザ定義フォームの作成手順の一例を図７に示している。ここでは、例えば、あらかじめ別途に定義された番組情報をインターネットのサイトやＥＰＧなどから取得し、各番組の開始、終了時間をもとにユーザ定義フォームを作成する。
【００４４】
このユーザ定義フォーム作成処理では、フォームの作成対象となるコンテンツの録画中や再生中に於いて、分割したいタイミングで、特定のボタン操作（例えばリモートコントローラに設けられたチャプターボタン等の操作）により、コンテンツ中にマーキングを行い（図８ステップＳ４１１〜Ｓ４１３）、録画若しくは再生が終了した後（ステップＳ４１４）、コンテンツ中のマーキング位置の時刻若しくは時間情報を採取して（ステップＳ４１５）、これらの時刻若しくは時間情報と番組情報等を用いて分割フォーム情報を作成し、ユーザ定義フォームとして登録する（ステップＳ４１６）。
【００４５】
このように、録画、視聴中に任意の位置で分割位置を指定してユーザ定義フォームを作成し登録することで、例えばシリーズ番組や定時番組などの編集を行う場合に、一度フォームを作成するだけで、その後、該当するすべての番組編集を間単に行うことができる。
【００４６】
また、上記のようにして作成したユーザ定義フォームを録画予約に関連付け、例えばシリーズ番組の録画に適用することにより、より効率よくシリーズ番組を任意に切り分けることができる。この処理手順を図９に示している。ここでは、あるシリーズ番組に対して、例えば最初の録画時に、録画した番組の分割フォーム情報を作成し（図９ステップＳ５０１，Ｓ５０２）、作成した分割フォーム情報を録画予約したシリーズ番組に対応付けて登録しておく（ステップＳ５０３）。これにより、録画予約された、以後のシリーズ番組各々について、このシリーズ番組に対応付けた分割フォーム情報を用いて、録画したシリーズ番組がユーザ定義フォームに従い分割される（ステップＳ５０４，Ｓ５０５）。なお、この場合、各録画の都度、外部からの分割指示で選択的にユーザ定義フォームを用いて分割を行う場合と、ユーザ定義フォームをシリーズ番組に対応付けて登録しておくことで一意にユーザ定義フォームを用いて分割を行う場合とがそそれ実現可能であり、またはこの２つのモード（マニュアル分割指示／自動分割指示）を任意に選択指定することも可能である。
【００４７】
上記したような録画済コンテンツの編集処理機能を備えた機器の具体的な構成例を図１０および図１１に示す。なお、ここでは説明を簡素にするため、チューナを１つのみ示しているが、複数のチューナを備えた構成であってもよい。また、録画したコンテンツの格納場所も一つのみ示しているが、録画したコンテンツを格納する記憶装置を複数設けた構成であってもよい。
【００４８】
図１０は上記した録画済コンテンツ編集装置が適用される機器の構成例である。この機器は、例えばデジタルテレビジョン受信装置、あるいは情報記録再生装置として実現可能である。
【００４９】
チューナ１１は、例えばデジタル放送信号を受信し、受信信号を復調し、復調出力をトランスポートデコーダ１２に供給する。トランスポートデコーダ１２で選択された番組の映像信号・音声信号はパケット毎オーディオビデオ（ＡＶ）デコーダ１３に入力されて復調される。ＡＶデコーダ１３で復調された音声出力は、音声出力端子１４Ａに出力され、映像出力は、映像出力端子１４Ｐに出力される。映像出力端子１４Ｐの映像信号には、合成回路１５にて、オンスクリーンディスプレイ（ＯＳＤ）コントローラ１６からの映像信号が合成される場合もある。
【００５０】
ダイレクトＲＤＲＡＭ１７は、ＡＶデコーダ１３、或いはＯＳＤコントローラ１６からのデータを一時的に格納するために利用される。ＳＤＲＡＭ１８は、例えば受信信号のエラー訂正処理などを行うときに、一時的にデータを格納する場合に利用される。
【００５１】
またＳＤＲＡＭ１８には、上記図６乃至図８に示したような種々の手順により作成されたユーザ定義フォームの分割フォーム情報、若しくは第三者が作成した分割フォーム情報が録画済コンテンツ編集情報４として登録される。または録画済コンテンツ３に対応する番組情報（例えばＥＰＧ、若しくは他の番組リスト等）が録画済コンテンツ編集情報４として登録される。
【００５２】
ＥＥＰＲＯＭ１９は、例えば装置の機能を実行するプログラムあるいはパラメータなどを保存しておくために利用される。上記したトランスポートデコーダ１２、ＡＶデコーダ１３、ＯＳＤコントローラ１６、ＳＤＲＡＭ１８、ＥＥＰＲＯＭ１９等はそれぞれメインバスにより接続される。さらに、このメインバス２０には、装置を統括する制御部であるＣＰＵ３０、モデムインターフェース２２ａ，ＬＡＮ端子２２ｂ、ブルーツースインターフェース２２ｃ、リモコンインターフェース２２ｄ、ＡＴＡＰＩインターフェース２２ｅ、ＡＶエンコーダ２４等が接続されている。ＡＴＡＰＩインターフェース２２ｅには、ハードディスク装置（ＨＤＤ）２３が接続されている。このハードディスク装置には、録画済コンテンツ３が記録される。
【００５３】
ＣＰＵ３０には、上記した録画済コンテンツ編集処理手段５を実現する録画済コンテンツ編集処理部３１が設けられる。またＣＰＵ３０には、番組予約機能、若しくはリモートコントローラの録画指示に従い、チューナ１１で受信され、映像出力端子１４Ｐに出力される映像信号および音声出力端子１４Ａに出力される音声信号を受信した放送番組の録画コンテンツとして、上記記録情報とともにハードディスク装置２３に記録する、図１に示す機器１の録画手段を実現する録画処理部３２が設けられる。
【００５４】
リモコンインターフェース２２ｄは、図１０に示す機器をコントロールするリモートコントローラと通信を行い、リモートコントローラの操作に従う、分割指示等の各種入力コマンドをＣＰＵ３０に通知する。このリモコンインターフェース２２ｄと通信を行うリモートコントローラのボタン配置例を図１１に示している。この図１１に示すリモートコントローラ４０には、タイトル（番組）分割指示を行う「分割」ボタン４１、チャプター割付による分割指示を行う「チャプター割付」ボタン４２等が設けられる。
【００５５】
ＣＰＵ３０は、上記リモートコントローラ４０に設けられた「分割」ボタン４１、または「チャプター割付」ボタン４２の操作に伴う、分割指示のコマンドを受けると、録画済コンテンツ編集処理３１を起動して、そのボタン操作に従い、図２または図３に示したような、タイトル（番組）分割処理、チャプター割付等のコンテンツ編集処理を実行する。この図２、図３に示すコンテンツ編集処理は既に録画済コンテンツ編集処理手段５の処理として説明しているので、ここではその説明を省略する。また、ＣＰＵ３０は、録画済コンテンツ編集処理３１の処理ルーチンの中で、上記図６乃至図８に示すような手順でユーザ操作とＧＵＩを伴って分割フォーム情報の作成並びにＳＤＲＡＭ１８への登録処理を実行する。この図６乃至図８に示すユーザ定義フォームの作成並びに登録処理、およびこのフォームを用いた図９に示すシリーズ番組の編集処理についても既に説明しているので、ここではその説明を省略する。
【図面の簡単な説明】
【００５６】
【図１】本発明の実施形態に係る録画済コンテンツ編集装置の構成を示すブロック図。
【図２】上記実施形態に係るコンテンツ編集処理の手順を示すフローチャート。
【図３】上記実施形態に係るコンテンツ編集処理の手順を示すフローチャート。
【図４】上記実施形態に係るユーザ定義フォームの登録処理手順を示すフローチャート。
【図５】上記実施形態に係るユーザ定義フォームの基本的な構成例を示す図。
【図６】上記実施形態に係るユーザ定義フォームの作成処理手順の第１例を示すフローチャート。
【図７】上記実施形態に係るユーザ定義フォームの作成処理手順の第２例を示すフローチャート。
【図８】上記実施形態に係るユーザ定義フォームの作成処理手順の第３例を示すフローチャート。
【図９】上記実施形態に係るユーザ定義フォームを適用した処理の一例を示すフローチャート。
【図１０】上記実施形態に係る録画済コンテンツの編集処理機能を備えた機器の具体的な構成例を示すブロック図。
【図１１】上記図１０に示す機器に用いられるリモートコントローラのボタン配置例を示す図。
【符号の説明】
【００５７】
１…機器、２…記憶手段、３…録画済コンテンツ、４…録画済コンテンツ編集情報、５…録画済コンテンツ編集処理手段、１８…ＳＤＲＡＭ、２２ｄ…リモコンインターフェース、２２ｅ…ＡＴＡＰＩインターフェース、２３…ハードディスク装置（ＨＤＤ）、３０…ＣＰＵ（制御部）、３１…録画済コンテンツ編集処理部（録画済コンテンツ編集処理手段）、３２…録画処理部（録画手段）、４０…リモートコントローラ、４１…「分割」ボタン、４２…「チャプター割付」ボタン。
【図１】
2006339801.tif 000003
【図２】
2006339801.tif 000004
【図３】
2006339801.tif 000005
【図４】
2006339801.tif 000006
【図５】
2006339801.tif 000007
【図６】
2006339801.tif 000008
【図７】
2006339801.tif 000009
【図８】
2006339801.tif 000010
【図９】
2006339801.tif 000011
【図１０】
2006339801.tif 000012
【図１１】
2006339801.tif 000013